【手続補正書】
【提出日】平成16年5月26日(2004.5.26)
【手続補正１】
【補正対象書類名】明細書
【補正対象項目名】発明の名称
【補正方法】変更
【補正の内容】
【発明の名称】画像形成装置、情報処理装置、画像形成方法及び画像処理方法、並びにコンピュータ読み取り可能な記憶媒体
【手続補正２】
【補正対象書類名】明細書
【補正対象項目名】特許請求の範囲
【補正方法】変更
【補正の内容】
【特許請求の範囲】
【請求項１】
ネットワーク上の各種の機器と通信可能な画像形成装置であって、
前記ネットワーク上の機器各々に関する機器情報及び前記画像形成装置に関する機器情報の組み合わせによって実現可能な機能に関する情報を複数記憶する記憶手段と、
前記記憶手段に記憶された複数の情報のうちの何れかを選択する選択手段と、
前記選択手段によって選択された情報に基づいて、前記組み合わせによって実現可能な機能をユーザによって指定可能に表示する表示手段と、
を有することを特徴とする画像形成装置。
【請求項２】
前記記憶手段は不揮発性の記憶手段であることを特徴とする請求項１記載の画像形成装置。
【請求項３】
画像データの入力を行う画像入力機器及び画像データの出力を行う画像出力機器とネットワークを介して通信可能な情報処理装置であって、
前記画像入力機器の機器情報及び前記画像出力機器の機器情報を取得する取得手段と、
前記画像入力機器の機器情報と前記画像出力機器の機器情報の組み合わせから成る機能を示す情報を生成する生成手段と、
前記画像入力機器または前記画像出力機器から、前記生成手段で生成された情報の要求を受信する受信手段と、
前記要求に応じて前記生成手段によって生成された情報を前記画像入力機器及び前記画像出力機器に送信する送信手段と、
を有し、
前記送信手段は、前記生成手段で生成された情報の要求を行った前記画像入力機器または前記画像出力機器に関連する機能を示す情報を送信することを特徴とする情報処理装置。
【請求項４】
前記受信手段において受信される要求は、該要求を送信した機器を特定するための情報を含み、
前記送信手段は、該情報に基づいて前記生成手段によって生成された情報を送信することを特徴とする請求項３記載の情報処理装置。
【請求項５】
前記要求を送信した機器を特定するための情報は該機器のIPアドレスであることを特徴とする請求項４記載の情報処理装置。
【請求項６】
ネットワーク上の各種の機器と通信可能な画像形成装置における画像形成方法であって、
前記ネットワーク上の機器各々に関する機器情報及び前記画像形成装置に関する機器情報の組み合わせによって実現可能な機能に関する情報を記憶手段に複数記憶する記憶工程と、
前記記憶工程によって前記記憶手段に記憶された複数の情報のうちの何れかを選択する選択工程と、
前記選択工程によって選択された情報に基づいて、前記組み合わせによって実現可能な機能をユーザによって指定可能に表示手段に表示する表示工程と、
を有することを特徴とする画像形成方法。
【請求項７】
画像データの入力を行う画像入力機器及び画像データの出力を行う画像出力機器とネットワークを介して通信可能な情報処理装置における情報処理方法であって、
前記画像入力機器の機器情報及び前記画像出力機器の機器情報を取得する取得工程と、
前記画像入力機器の機器情報と前記画像出力機器の機器情報の組み合わせから成る機能を示す情報を生成する生成工程と、
前記画像入力機器または前記画像出力機器から、前記生成工程で生成された情報の要求を受信する受信工程と、
前記要求に応じて前記生成工程によって生成された情報を前記画像入力機器及び前記画像出力機器に送信する送信工程と、
を有し、
前記送信工程は、前記生成工程で生成された情報の要求を行った前記画像入力機器または前記画像出力機器に関連する機能を示す情報を送信することを特徴とする情報処理方法。
【請求項８】
前記受信工程において受信される要求は、該要求を送信した機器を特定するための情報を含み、
前記送信工程は、該情報に基づいて前記生成工程によって生成された情報を送信することを特徴とする請求項７記載の情報処理方法。
【請求項９】
ネットワーク上の各種の機器と通信可能な画像形成装置を制御するプログラムが格納された、コンピュータにより読み取り可能な記憶媒体であって、
前記プログラムは、
前記ネットワーク上の機器各々に関する機器情報及び前記画像形成装置に関する機器情報の組み合わせによって実現可能な機能に関する情報を記憶手段に複数記憶する記憶工程を実現するためのプログラムコードと、
前記記憶工程によって前記記憶手段に記憶された複数の情報のうちの何れかを選択する選択工程を実現するためのプログラムコードと、
前記選択工程によって選択された情報に基づいて、前記組み合わせによって実現可能な機能をユーザによって指定可能に表示手段に表示する表示工程を実現するプログラムコードと、
を有することを特徴とするコンピュータにより読み取り可能な記憶媒体。
【請求項１０】
画像データの入力を行う画像入力機器及び画像データの出力を行う画像出力機器とネットワークを介して通信可能な情報処理装置を制御するプログラムが格納された記憶媒体であって、
前記プログラムは、
前記画像入力機器の機器情報及び前記画像出力機器の機器情報を取得する取得工程を実現するためのプログラムコードと、
前記画像入力機器の機器情報と前記画像出力機器の機器情報の組み合わせから成る機能を示す情報を生成する生成工程を実現するためのプログラムコードと、
前記画像入力機器または前記画像出力機器から、前記生成工程で生成された情報の要求を受信する受信工程を実現するためのプログラムコードと、
前記要求に応じて前記生成工程によって生成された情報を前記画像入力機器及び前記画像出力機器に送信する送信工程を実現するためのプログラムコードと、
を有し、
前記送信工程は、前記生成工程で生成された情報の要求を行った前記画像入力機器または前記画像出力機器に関連する機能を示す情報を送信することを特徴とするコンピュータにより読み取り可能な記憶媒体。
【手続補正３】
【補正対象書類名】明細書
【補正対象項目名】０００９
【補正方法】変更
【補正の内容】
【０００９】
即ち、本発明は、ネットワーク上の各種の機器と通信可能な画像形成装置であって、前記ネットワーク上の機器各々に関する機器情報及び前記画像形成装置に関する機器情報の組み合わせによって実現可能な機能に関する情報を複数記憶する記憶手段と、前記記憶手段に記憶された複数の情報のうちの何れかを選択する選択手段と、前記選択手段によって選択された情報に基づいて、前記組み合わせによって実現可能な機能をユーザによって指定可能に表示する表示手段と、を有することを特徴とする。
【手続補正４】
【補正対象書類名】明細書
【補正対象項目名】００１０
【補正方法】変更
【補正の内容】
【００１０】
また、本発明は、画像データの入力を行う画像入力機器及び画像データの出力を行う画像出力機器とネットワークを介して通信可能な情報処理装置であって、前記画像入力機器の機器情報及び前記画像出力機器の機器情報を取得する取得手段と、前記画像入力機器の機器情報と前記画像出力機器の機器情報の組み合わせから成る機能を示す情報を生成する生成手段と、前記画像入力機器または前記画像出力機器から、前記生成手段で生成された情報の要求を受信する受信手段と、前記要求に応じて前記生成手段によって生成された情報を前記画像入力機器及び前記画像出力機器に送信する送信手段と、を有し、前記送信手段は前記生成手段で生成された情報の要求を行った前記画像入力機器または前記画像出力機器に関連する機能を示す情報を送信することを特徴とする。
【手続補正５】
【補正対象書類名】明細書
【補正対象項目名】００１１
【補正方法】変更
【補正の内容】
【００１１】
さらに、本発明は、ネットワーク上の各種の機器と通信可能な画像形成装置における画像形成方法であって、前記ネットワーク上の機器各々に関する機器情報及び前記画像形成装置に関する機器情報の組み合わせによって実現可能な機能に関する情報を記憶手段に複数記憶する記憶工程と、前記記憶工程によって前記記憶手段に記憶された複数の情報のうちの何れかを選択する選択工程と、前記選択工程によって選択された情報に基づいて、前記組み合わせによって実現可能な機能をユーザによって指定可能に表示手段に表示する表示工程と、を有することを特徴とする。
【手続補正６】
【補正対象書類名】明細書
【補正対象項目名】００１２
【補正方法】変更
【補正の内容】
【００１２】
また、本発明は、  画像データの入力を行う画像入力機器及び画像データの出力を行う画像出力機器とネットワークを介して通信可能な情報処理装置における情報処理方法であって、前記画像入力機器の機器情報及び前記画像出力機器の機器情報を取得する取得工程と、前記画像入力機器の機器情報と前記画像出力機器の機器情報の組み合わせから成る機能を示す情報を生成する生成工程と、前記画像入力機器または前記画像出力機器から、前記生成工程で生成された情報の要求を受信する受信工程と、前記要求に応じて前記生成工程によって生成された情報を前記画像入力機器及び前記画像出力機器に送信する送信工程と、を有し、前記送信工程は、前記生成工程で生成された情報の要求を行った前記画像入力機器または前記画像出力機器に関連する機能を示す情報を送信することを特徴とする。
【手続補正７】
【補正対象書類名】明細書
【補正対象項目名】００１３
【補正方法】変更
【補正の内容】
【００１３】
また、本発明は、ネットワーク上の各種の機器と通信可能な画像形成装置を制御するプログラムが格納された、コンピュータにより読み取り可能な記憶媒体であって、前記プログラムは、前記ネットワーク上の機器各々に関する機器情報及び前記画像形成装置に関する機器情報の組み合わせによって実現可能な機能に関する情報を記憶手段に複数記憶する記憶工程を実現するためのプログラムコードと、前記記憶工程によって前記記憶手段に記憶された複数の情報のうちの何れかを選択する選択工程を実現するためのプログラムコードと、前記選択工程によって選択された情報に基づいて、前記組み合わせによって実現可能な機能をユーザによって指定可能に表示手段に表示する表示工程を実現するプログラムコードと、を有することを特徴とする。
【手続補正８】
【補正対象書類名】明細書
【補正対象項目名】００１４
【補正方法】変更
【補正の内容】
【００１４】
さらに、本発明は、画像データの入力を行う画像入力機器及び画像データの出力を行う画像出力機器とネットワークを介して通信可能な情報処理装置を制御するプログラムが格納された記憶媒体であって、前記プログラムは、前記画像入力機器の機器情報及び前記画像出力機器の機器情報を取得する取得工程を実現するためのプログラムコードと、前記画像入力機器の機器情報と前記画像出力機器の機器情報の組み合わせから成る機能を示す情報を生成する生成工程を実現するためのプログラムコードと、前記画像入力機器または前記画像出力機器から、前記生成工程で生成された情報の要求を受信する受信工程を実現するためのプログラムコードと、前記要求に応じて前記生成工程によって生成された情報を前記画像入力機器及び前記画像出力機器に送信する送信工程を実現するためのプログラムコードと、を有し、前記送信工程は、前記生成工程で生成された情報の要求を行った前記画像入力機器または前記画像出力機器に関連する機能を示す情報を送信することを特徴とする。
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】０１２０
【補正方法】変更
【補正の内容】
【０１２０】
【発明の効果】
以上説明したように本発明によれば、ネットワーク上の機器各々に関する機器情報及び画像形成装置に関する機器情報の組み合わせによって実現可能な機能に関する情報を複数記憶し、記憶された複数の情報のうちの何れか選択された情報に基づいて、組み合わせによって実現可能な機能をユーザによって指定可能に表示するようにしたので、ユーザに利便性を与え、画像形成装置に複雑な操作指定を行わせる操作パネルを必要としなくなくためコスト削減が可能となる。
【手続補正１２】
【補正対象書類名】明細書
【補正対象項目名】０１２１
【補正方法】変更
【補正の内容】
【０１２１】
また、本発明によれば、画像データの入力を行う画像入力機器及び画像データの出力を行う画像出力機器とネットワークを介して通信可能な情報処理装置において、画像入力機器の機器情報及び画像出力機器の機器情報を取得し、画像入力機器の機器情報と画像出力機器の機器情報の組み合わせから成る機能を示す情報を生成し、画像入力機器または画像出力機器から、生成された情報の要求を受信し、この要求に応じて生成された情報を画像入力機器及び画像出力機器に送信し、さらに、生成された情報の要求を行った画像入力機器または画像出力機器に関連する機能を示す情報を送信するようにしたので、ユーザに利便性を与え、画像形成装置に複雑な操作指定を行わせる操作パネルを必要としなくなくためコスト削減が可能となる。
【手続補正１３】
【補正対象書類名】明細書
【補正対象項目名】０１２２
【補正方法】削除
【補正の内容】
【手続補正１４】
【補正対象書類名】明細書
【補正対象項目名】０１２３
【補正方法】削除
【補正の内容】